(57)【要約】【課題】本発明は、雨風、埃などによる物干し竿の汚れを防止し、その汚れが物干し竿に干す洗濯物やハンガーのフック部に付着しないようにし、また洗濯物に対する日差しを遮らない、開閉式の物干し竿カバーを提供する。【解決手段】物干し竿１を包み込むような開閉式のカバー２を装着する。洗濯物を干すときにはカバー２を押し上げ、洗濯物を干したり、ハンガー７をかけたりする。洗濯物を干さないときには、そのままカバー２を閉じる。これにより物干し竿１が常に清潔な状態に保たれ、物干し竿１と接触するハンガーのフック部、または物干し竿に直接掛けた洗濯物が汚れないようにする。【選択図】図３
2014208311.tif 000002
【特許請求の範囲】
【請求項１】
物干し竿を包み込むような開閉式のカバーを特徴とする物干し竿カバー。
【請求項２】
背面カバーにより雨風、埃などによる汚れを防止する請求項１記載の物干し竿カバー。
【請求項３】
カバーの裏側に設けたホルダーにより、上から押さえつけることで、ハンガーのずれを防止する構造を特徴とする請求項１、または請求項２記載の物干し竿カバー
【発明の詳細な説明】
【技術分野】
【０００１】
本発明は、雨風、埃などによる物干し竿の汚れを防止することで、物干し竿と接触するハンガーのフック部、または物干し竿に直接掛けた洗濯物に汚れが付着するのを防止し、また干している洗濯物への日光を遮らない、物干し竿カバーに関する。
【背景技術】
【０００２】
従来、室外に設置されている物干し竿は外にあるため埃などが付着し、特に風雨のときは汚れが激しかった。そのため、洗濯物を干す前に、物干し竿本体を拭く必要があった。汚れを拭かずにハンガーを掛けた場合は、物干し竿と接触するハンガーのフック部、そして、そのハンガーを室内に戻すときに掛ける室内のハンガー置きも汚れるため、それぞれ拭く必要があった。
【先行技術文献】
【特許文献】
【０００３】
【特許文献１】特開２００４−１６５３１号公報
【特許文献２】特開２００９−３９４４５号公報
【特許文献３】特開２００３−２３０７９７号公報
【特許文献４】特開２０００−３５４６９８号公報
【特許文献５】実用新案登録第３１７１１２６号
【特許文献６】特開２００４−１６５３１号公報
【特許文献７】特開２０１３−２２４３１号公報
【発明の概要】
【発明が解決しようとする課題】
【０００４】
しかしながら、上記特許文献１の物干し竿のサビを防ぐカバーは、物干し竿自体を保護するものであり、そのカバーに汚れが付着する。そのため物干し竿と、その物干し竿に接触するハンガーのフック部、また直接掛ける洗濯物は汚れる。
【０００５】
特許文献２、特許文献３、特許文献４、特許文献５、及び特許文献６は、物干し竿と洗濯物の全体を覆うカバーであり、雨、ほこり、花粉等から洗濯物を保護することを目的としている。そのため洗濯物に日光が当たらず、カバーがない状態よりも乾きづらい欠点があると考えられる。
【０００６】
特許文献７の裏返して使用する物干し竿カバーは、カバーを裏返しにして、端からもう一方の端まで移動させる手間がある。また、洗濯物を干しているときにはカバーがされていない状態となるため、干している間は砂埃等で物干し竿が汚れる。
【０００７】
そのため、従来の方法では洗濯物への日光が遮られたり、カバーの操作に手間を要したり、洗濯物を干している間に物干し竿が汚れたりする問題があった。本発明は、以上の問題点を解決する。
【課題を解決するための手段】
【０００８】
この課題を解決するために本発明は、開閉式のカバーを採用する。カバーを上下に操作するのみで、カバー自体を移動させたりする手間は必要はない。またカバーは物干し竿を包み込む大きさとすることで、洗濯物に当たる日光を遮らない。
【０００９】
そして、カバーの裏側にハンガーのずれを防止する構造も可能である。
【００１０】
なお、物干し竿に備え付いているハンガー掛けも包み込む構造のため、ハンガー掛けの備わった物干し竿にそのまま設置することができる。
【発明の効果】
【００１１】
以上のように本発明によれば、常に物干し竿が清潔な状態に保たれるため、事前に物干し竿を拭くことなく、直接洗濯物を干すことができ、ハンガーを掛けても物干し竿との接触するハンガーのフック部が汚れないようになる。
【００１２】
また開閉式のカバーを採用することで、カバーを上下に操作するのみで、カバー自体を移動させるなどの手間は必要はない。
【００１３】
カバーは物干し竿を包み込むサイズであり、洗濯物に当たる日光を遮らない。
【００１４】
カバーの裏側に突起を設けることで、ハンガーのずれも防止が可能である。
【００１５】
また、ハンガー掛けが備わった物干し竿にそのまま装着することができる。
【図面の簡単な説明】
【００１６】
【図１】本発明でカバーが閉じたときの斜視図を示す。
【図２】本発明でカバーが開いたときの斜視図を示す。
【図３】本発明でハンガーが掛け、カバーを閉じたときの斜視図を示す。
【図４】本発明でカバーが閉じたときの側面図を示す。
【図５】本発明でカバーが開いたときの側面図を示す。
【図６】本発明でハンガーが掛け、カバーを閉じたときの側面図を示す。
【図７】本発明でカバーが閉じたときの、下から見た斜視図を示す。
【図８】本発明のカバー裏側にホルダーを設けたときの下から見た斜視図を示す。
【図９】本発明のカバー裏側に支持バネを設けたときの側面図を示す。
【図１０】本発明でつまみ位置を示した斜視図を示す。
【図１１】本発明の別形態で、カバーを開いたときの斜視図を示す。
【図１２】本発明の別形態で、カバーを閉じたときの斜視図を示す。
【発明を実施するための形態】
【００１７】
以下、本発明の実施の形態について説明する。図１から図３は、本発明の基本構造を示す斜視図である。カバー２が物干し竿１を包み込むようになる。図４から図６は図１から図３に対応した側面図である。
【００１８】
カバー２の長さは、ハンガーを掛けてもカバーが閉じる長さとなる。具体的にはカバーの長さはハンガー腕部８に当たらない長さである必要がある。
【００１９】
カバーは開きすぎないように、ストッパー３を設けるのが望ましい。これによりカバーが開いた状態から閉めるときに、手を物干し竿の奥に伸ばさずに済み、開閉が容易になる。
【００２０】
背面カバー４は蝶番のような部品により、常に下方向に垂れ下がるような構造が望ましい。背面カバー４について、下の角度から見た斜視図を図７に示す。カバー２と同じぐらいの長さか、それ以上であれば、十分汚れを防止できるが、カバー２と同様にハンガー腕部８に当たらない長さの必要がある。
【００２１】
吊バンドタン付きのようなブラケット６により物干し竿１の横に平行してレール５を固定し、カバー２が開閉可能にする。これはレール５が物干し竿１の真上にあると、タオルやハンガーを物干し竿に掛けるときに、そのレールが妨げとなるためである。なお、ブラケット６により物干し竿が回転する場合は、逆方向におもりを設け、同じ重さで釣り合うようにする。
【００２２】
次に図８について説明する。カバー裏面にホルダー９を設け、ハンガーが横滑りしない構造を示している。ホルダー９は図８に示したように三角形のような形状であると、カバーを閉めたときにハンガーがホルダー９と物干し竿の間に挟まらない。
【００２３】
次に図９でカバーを固定する形態の例ついて説明する。カバーの裏側に支持バネ１０を設けた構造を示している。これによりカバーを閉まった状態で固定でき、ホルダー９によるハンガーの固定がより強固になり、また風でカバー２が意図せずに開かないようになる。
【００２４】
次に図１０について説明する。図９に示した支持バネ１０を設けた箇所が把握できるように、カバーの表側に印を設けた形状を示している。この印がカバーを開くときのつまみ１１の役割となり、開閉が容易となる。
【００２５】
次に図１１、図１２について説明する。本発明を別の形態で実現した構造を示している。本発明は開閉式であれば良く、カバー２をシャッターのような構造にして、図１１、図１２のような形態も考えられる。この形態の場合、支持バネ１０の役割をブラケット６で担うこともできる。ブラケットの構造が複雑になる可能性があるが、背面カバー、ストッパーを省略できると考えられる。
【符号の説明】
【００２６】
１  物干し竿
２  カバー
３  ストッパー
４  背面カバー
５  レール
６  ブラケット
７  ハンガー
８  ハンガー腕部
９  ホルダー
１０  支持バネ
１１  つまみ
【図１】
2014208311.tif 000003
【図２】
2014208311.tif 000004
【図３】
2014208311.tif 000005
【図４】
2014208311.tif 000006
【図５】
2014208311.tif 000007
【図６】
2014208311.tif 000008
【図７】
2014208311.tif 000009
【図８】
2014208311.tif 000010
【図９】
2014208311.tif 000011
【図１０】
2014208311.tif 000012
【図１１】
2014208311.tif 000013
【図１２】
2014208311.tif 000014